(57)【要約】【課題】複数のチューブを簡単に固定することができる治具を供給すること。【解決手段】治具１は、加工装置の各構成ユニットに接続した複数のチューブを整列させるための治具である。治具１は、筒部の中央にチューブが貫通する貫通口１２を有する挿入ユニット１０と、複数の挿入ユニット１０を隣接させて固定する固定手段である接着剤２０と少なくとも備える。治具１の接着剤２０を用いて固定する挿入ユニット１０の数は、チューブの本数に応じて適宜調整可能である。【選択図】図１
2020012548.tif 000002
【特許請求の範囲】
【請求項１】
複数のチューブを整列させる治具であって、
筒部の中央にチューブが貫通する貫通口を有する挿入ユニットと、
複数の該挿入ユニットを隣接させて固定する固定手段と、少なくとも備え、
固定する該挿入ユニットの数は、該チューブの本数に応じて調整可能である
ことを特徴とする治具。
【請求項２】
該挿入ユニットの側面には該筒部の底面と平行な方向に延在する溝が形成され、
該固定手段は、該溝に嵌合する結束バンドであることを特徴とする請求項１に記載の治具。
【請求項３】
該固定手段は、接着剤であることを特徴とする請求項１に記載の治具。
【発明の詳細な説明】
【技術分野】
【０００１】
本発明は、複数のチューブや電線等を結束バンドで止めるためにチューブの向きや隣り合う位置を調整するための治具に関する。
【背景技術】
【０００２】
各種の加工装置は、エア、水、加工品質を向上させるための潤滑材などの様々な流体がチューブを通して供給され、電線を通して電力が供給されている。これらのチューブや電線は、加工装置内の長い距離を連れ周るので、省スペース化のために複数束ねられてばらばらにならずしっかりと固定された状態で設置されることが好ましく、連れ周りの距離が設計で予め定められており、チューブ同士の相対的な位置が指定されている場合もある。
【０００３】
しかし、複数のチューブをたとえば結束バンドで束ねて固定しようとするとチューブ同士の上下等の相対的な位置が入れ替わったりして作業が難航するという問題があった。また、束ねるチューブの数が多いと、作業員が手で押さえて束ねることが出来ず密集した状態で複数のチューブの固定が難しいという問題もあった。
【０００４】
また、チューブ等を整列させるために仮固定する治具も用いている(例えば、特許文献１参照)。
【先行技術文献】
【特許文献】
【０００５】
【特許文献１】特開２００３−０４５２５５号公報
【発明の概要】
【発明が解決しようとする課題】
【０００６】
特許文献１に示された治具は、チューブの数の増減に対する対応が困難であるとともに、チューブ同士の相対的な位置の関係を正規の位置で固定することが困難という問題があった。
【０００７】
本発明は、かかる問題点に鑑みてなされたものであり、その目的は、複数のチューブを簡単に固定することができる治具を供給することである。
【課題を解決するための手段】
【０００８】
上述した課題を解決し、目的を達成するために、本発明の治具は、複数のチューブを整列させる治具であって、筒部の中央にチューブが貫通する貫通口を有する挿入ユニットと、複数の該挿入ユニットを隣接させて固定する固定手段と、少なくとも備え、固定する該挿入ユニットの数は、該チューブの本数に応じて調整可能であることを特徴とする。
【０００９】
前記治具において、該挿入ユニットの側面には該筒部の底面と平行な方向に延在する溝が形成され、該固定手段は、該溝に嵌合する結束バンドであっても良い。
【００１０】
前記治具において、該固定手段は、接着剤であっても良い。
【発明の効果】
【００１１】
本願発明は、複数のチューブを簡単に固定することができるという効果を奏する。
【図面の簡単な説明】
【００１２】
【図１】図１は、実施形態１に係る治具の構成例を説明する斜視図である。
【図２】図２は、図１に示された治具の平面図である。
【図３】図３は、図１に示す治具によりチューブが整列される加工装置の構成を示す図である。
【図４】図４は、図１に示された治具の挿入ユニットの斜視図である。
【図５】図５は、実施形態１に係る治具が図２に示された加工装置のチューブを整列させた状態を示す図である。
【図６】図６は、図５に示された状態の治具の平面図である。
【図７】図７は、図５に示された治具を取り外す状態を説明する図である。
【図８】図８は、実施形態２に係る治具の構成例を説明する平面図である。
【図９】図９は、図８に示された治具の挿入ユニットの斜視図である。
【図１０】図１０は、実施形態１の変形例に係る治具の構成例を説明する平面図である。
【図１１】図１１は、図１０に示された治具の治具ブロック同士を分解して示す斜視図である。
【図１２】図１２は、図１０に示された治具の更に他の変形例を示す平面図である。
【発明を実施するための形態】
【００１３】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１４】
〔実施形態１〕
本発明の実施形態１に係る治具を図面に基づいて説明する。図１は、実施形態１に係る治具の構成例を説明する斜視図である。図２は、図１に示された治具の平面図である。図３は、図１に示す治具によりチューブが整列される加工装置の構成を示す図である。図４は、図１に示された治具の挿入ユニットの斜視図である。
【００１５】
実施形態１に係る図１及び図２に示す治具１は、図３に示す加工装置１００内の複数のチューブ１０１を整列させる治具である。図３に示す加工装置１００は、ウェーハ等の被加工物を切削する切削装置、被加工物を研削する研削装置、又は被加工物をレーザー加工するレーザー加工装置である。実施形態１において、加工装置１００は、切削装置、研削装置又はレーザー加工装置であるが、本発明では、これらに限定されずに、種々の被加工物に各種の加工を施す装置であれば良い。
【００１６】
加工装置１００は、図３に示すように、複数の構成ユニット１０２を備える。構成ユニット１０２は、加工装置１００を構成するものであって、それぞれが加工装置１００の被加工物に対する加工動作の少なくとも一部を行うものである。構成ユニット１０２は、例えば、加工装置１００が切削装置である場合には、被加工物を保持するチャックテーブル、被加工物を切削する切削ユニット、切削装置の各構成ユニットを制御する制御ユニット等であり、加工装置１００が研削装置である場合には、被加工物を保持するチャックテーブル、被加工物を研削する研削ユニット、研削装置の各構成ユニットを制御する制御ユニット等である。
【００１７】
各構成ユニット１０２には、少なくともチューブ１０１が一本接続されている。チューブ１０１は、各構成ユニット１０２に気体、液体等の流体を供給する円筒状のチューブである。また、一部のチューブ１０１は、構成ユニット１０２に電力を供給する電線でもある。このように、本発明でいうチューブ１０１とは、内側に流体を通す所謂チューブと、電力を供給する電線とを総称している。
【００１８】
チューブ１０１は、可撓性を有して、加工装置１００の予め定められた所定の経路に沿って配置される。また、構成ユニット１０２に接続されたチューブ１０１は、図３に示すように、複数束ねられて、実施形態１では、結束バンド１０３により互いに固定されて、加工装置１００外に導かれる。なお、複数のチューブ１０１は、必ずしも加工装置１００外に導かる必要はなく、異なる構成ユニット１０２へと導かれても良い。また、複数のチューブ１０１は、それぞれ、長さが予め定められているとともに、互いの相対的な位置が予め定められている。
【００１９】
実施形態１に係る治具１は、加工装置１００内の複数のチューブ１０１を予め定められた所定の経路に沿って配置するとともに、複数のチューブ１０１の予め定められた相対的な位置通りに複数のチューブ１０１を整列させるための治具である。治具１は、図１及び図２に示すように、複数の挿入ユニット１０と、固定手段である接着剤２０とを少なくとも備えている。
【００２０】
挿入ユニット１０は、図４に示すように、外観が筒状の筒部１１を備えて、筒部１１の中央にチューブ１０１が貫通する貫通口１２を有している。実施形態１において、筒部１１の両端面１５，１６の外縁の平面形状は、正六角形に形成されているが、本発明では、円形でも良く、正六角形以外の種々の多角形でも良い。また、筒部１１の両端面１５，１６の内縁即ち貫通口１２の平面形状は、正六角形に形成されているが、本発明では、円形でも良く、正六角形以外の種々の多角形でも良い。貫通口１２は、内側にチューブ１０１を通す。
【００２１】
接着剤２０は、複数の挿入ユニット１０を隣接させて固定して、図１及び図２に示す複数の互いに固定された挿入ユニット１０を含む治具ブロック２を構成する。実施形態１にいて、治具１は、一つの治具ブロック２を備えている。実施形態１に係る治具１の治具ブロック２は、７個の挿入ユニット１０により構成されるが、本発明では、治具ブロック２を構成する挿入ユニット１０の数は、７個に限定されない。即ち、本発明において、固定手段である接着剤２０により固定される挿入ユニット１０の数は、チューブ１０１の本数に応じて調整可能であり、チューブ１０１の本数と同数設けられて各挿入ユニット１０の貫通口１２内に１本のチューブ１０１を通すのが望ましい。実施形態１において、接着剤２０は、複数の挿入ユニット１０の筒部１１の側面１３間に塗布されて、複数の挿入ユニット１０同士を固定して、治具１の治具ブロック２を形成する。なお、側面１３は、両端面１５，１６の双方に連なりかつ両端面１５，１６の双方と直交する方向に平坦な面である。
【００２２】
次に、本明細書は、前述した構成の治具１を用いてチューブ１０１を整列させる方法を説明する。図５は、実施形態１に係る治具が図２に示された加工装置のチューブを整列させた状態を示す図である。図６は、図５に示された状態の治具の平面図である。図７は、図５に示された治具を取り外す状態を説明する図である。
【００２３】
加工装置１００内に配置されかつ構成ユニット１０２に接続した複数のチューブ１０１を整列させる際には、まず、図５に示すように、所定の経路に基づいて治具１を加工装置１００内の所定の位置に配置するとともに、図６に示すように、チューブ１０１同士の相対的な位置に基づいて、各挿入ユニット１０の貫通口１２内にチューブ１０１を通す。こうして、治具１を用いてチューブ１０１を整列させる方法は、複数のチューブ１０１を予め定められた相対的な位置に配置するとともに、予め定められた加工装置１００内の所定の経路に沿って配置する。
【００２４】
そして、複数のチューブ１０１を固定するためには、図７に示すように、まず治具１に複数のチューブ１０１を挿入することで複数のチューブ１０１同士を整列させる。その後治具１よりも構成ユニット１０２寄りの箇所で複数のチューブ１０１同士を結束バンド１０３で固定し、複数のチューブ１０１の構成ユニット１０２側では無い端部から治具１を取り外す。なお治具１を複数のチューブ１０１から取り外さず、装置内部に残して結束バンド１０３の代わりに使用するか、治具１と結束バンド１０３との両方で複数のチューブ１０１を固定しても良い。
【００２５】
実施形態１に係る治具１は、挿入ユニット１０がチューブ１０１を通す貫通口１２を有し、複数の挿入ユニット１０を固定する接着剤２０を備えている。その結果、治具１は、接着剤２０で複数の挿入ユニット１０同士を固定し、予め定められたチューブ１０１同士の相対的な位置に基づいて、挿入ユニット１０の貫通口１２内にチューブ１０１を通すことで、予め定められた相対的な位置通りに複数のチューブ１０１を簡単に固定することができるという効果を奏する。
【００２６】
また、治具１は、挿入ユニット１０が筒状の筒部１１を備えて、接着剤２０により固定された複数の挿入ユニット１０によって治具ブロック２がハニカム構造となるので、機械的な強度が向上する。また、治具１は、挿入ユニット１０の筒部１１の外縁及び内縁の平面形状が正六角形であるために、挿入ユニット１０及び治具ブロック２の機械的な強度をより向上することができる。その結果、治具１は、作業員が治具１を把持してチューブ１０１を貫通口１２に出し入れする際に、治具１が作業員により押圧されて変形することを抑制することができる。
【００２７】
また、治具１は、挿入ユニット１０の筒部１１の外縁の平面形状が正六角形であるために、複数の挿入ユニット１０同士を隙間が生じることなく固定することができるために、占有スペースの拡大を極力を抑制しながらもチューブの数に応じて挿入ユニットの数を増やすことが出来る。
【００２８】
また、治具１は、挿入ユニット１０の筒部１１の貫通口１２の平面形状が正六角形であるために、貫通口１２の内面とチューブ１０１との接触面積を抑制でき、貫通口１２からチューブ１０１を抜きやすくすることができる。
【００２９】
また、治具１は、挿入ユニット１０同士を接着剤２０を用いて固定するので、チューブ１０１の数に応じて挿入ユニット１０の数を容易に増やすことが出来る。
【００３０】
〔実施形態２〕
本発明の実施形態２に係る治具を図面に基づいて説明する。図８は、実施形態２に係る治具の構成例を説明する平面図である。図９は、図８に示された治具の挿入ユニットの斜視図である。なお、図８及び図９は、実施形態１と同一部分に同一符号を付して説明を省略する。
【００３１】
実施形態２に係る治具３は、図８に示すように、挿入ユニット１０−２の側面１３には溝１４が形成され、固定手段が結束バンド３０である以外、実施形態１と同じ構成である。溝１４は、図９に示すように、側面１３から凹に形成されかつ筒部１１の底面である両端面１５，１６と平行な方向に沿って直線状に延在している。
【００３２】
また、溝１４は、溝１４の長手方向に交差する方向の断面形状が矩形状に形成され、挿入ユニット１０の全ての側面１３に設けられているとともに、各側面１３の両端面１５，１６間の中央に設けられている。
【００３３】
結束バンド３０は、側面１３同士が重ねられた複数の挿入ユニット１０−２の外側の全周に亘って配置されて、側面１３同士が密に接触するように、複数の挿入ユニット１０−２を結束するものである。また、結束バンド３０は、幅が溝１４の幅以下に形成されて、複数の挿入ユニット１０−２を結束する際に、溝１４内に侵入する。
【００３４】
実施形態２に係る治具３は、実施形態１に係る治具１と同様に複数のチューブ１０１を整列させる。
【００３５】
実施形態２に係る治具３は、挿入ユニット１０−２がチューブ１０１を通す貫通口１２を有し、複数の挿入ユニット１０−２を固定する結束バンド３０を備えているために。実施形態１と同様に、予め定められた相対的な位置通りに複数のチューブ１０１を簡単に固定することができるという効果を奏する。
【００３６】
また、治具３は、挿入ユニット１０−２の側面１３に結束バンド３０が侵入する溝１４が形成されているので、挿入ユニット１０−２の数が増えても挿入ユニット１０−２同士を簡単に固定でき、治具３を簡単に構成することができる。
【００３７】
また、治具３は、挿入ユニット１０−２の筒部１１の外縁及び内縁の平面形状が正六角形であるために、挿入ユニット１０−２の機械的な強度を向上することができる。その結果、治具３は、作業員が治具３を把持してチューブ１０１を貫通口１２に出し入れする際に、治具３が作業員により押圧されて変形することを抑制でき、結束バンド３０での固定から挿入ユニット１０−２が抜け落ちてしまうことを抑制できる。
【００３８】
（変形例）
本発明の実施形態１の変形例に係る治具を図面に基づいて説明する。図１０は、実施形態１の変形例に係る治具の構成例を説明する平面図である。図１１は、図１０に示された治具の治具ブロック同士を分解して示す斜視図である。図１２は、図１０に示された治具の更に他の変形例を示す平面図である。なお、図１０、図１１及び図１２は、実施形態１及び実施形態２と同一部分に同一符号を付して説明を省略する。
【００３９】
実施形態１の変形例にかかる治具１−１は、図１０及び図１１に示すように、前述した治具ブロック２に加え、第２治具ブロック２−２を備えている。各治具ブロック２，２−２は、複数の挿入ユニット１０の側面１３同士が接着剤２０により固定されて構成されているとともに、治具ブロック２，２−２間の挿入ユニット１０の側面１３同士も接着剤２０により固定されている。
【００４０】
なお、図１０及び図１１に示す例では、第２治具ブロック２−２は、挿入ユニット１０を３個備えているが、本発明では、第２治具ブロック２−２を構成する挿入ユニット１０の数は、３個に限定されない。
【００４１】
また、図１０及び図１１に示す例では、治具１−１は、治具ブロック２，２−２間の挿入ユニット１０同士を接着剤２０を用いて固定している。しかしながら、本発明では、図１２に示すように、治具１−２は、各治具ブロック２，２−２の挿入ユニット１０−２に実施形態２と同様に溝１４を形成し、治具ブロック２，２−２の外側に配置された結束バンド３０−２を用いて治具ブロック２，２−２同士を固定しても良い。なお、図１２に示す変形例においても、結束バンド３０−２は、溝１４内に侵入する。
【００４２】
また、図１０、図１１及び図１２に示す例では、第２治具ブロック２−２を１個のみ示しているが、本発明では、治具１−１，１−２は、第２治具ブロック２−２をチューブ１０１の数に応じて、複数備えても良い。また、治具１−１，１−２は、第２治具ブロック２−２を複数備える場合には、複数のチューブ１０１の予め定められた相対的な位置に基づいて複数の第２治具ブロック２−２を配置するのが望ましい。
【００４３】
変形例に係る治具１−１，１−２は、挿入ユニット１０，１０−２がチューブ１０１を通す貫通口１２を有し、複数の挿入ユニット１０，１０−２を固定する接着剤２０を備えているために。実施形態１と同様に、予め定められた相対的な位置通りに複数のチューブ１０１を簡単に固定することができるという効果を奏する。
【００４４】
また、変形例では、治具１−１，１−２は、治具ブロック２が７個の挿入ユニット１０，１０−２で構成され、第２治具ブロック２−２が３個の挿入ユニット１０，１０−２で構成されている。しかしながら、本発明では、治具１−１，１−２は、挿入ユニット１０，１０−２を１個、２個、３個又は４個等の種々の数備えた治具ブロックを予め用意しておき、これらの治具ブロックを適宜組み合わせて構成されても良い。
【００４５】
なお、本発明は、上記実施形態及び変形例に限定されるものではない。即ち、本発明の骨子を逸脱しない範囲で種々変形して実施することができる。
【符号の説明】
【００４６】
１，１−１，１−２，３  治具
１０  挿入ユニット
１１  筒部
１２  貫通口
１３  側面
１４  溝
１５，１６  端面（底面）
２０  接着剤（固定手段）
３０  結束バンド（固定手段）
１０１  チューブ
【図１】
2020012548.tif 000003
【図２】
2020012548.tif 000004
【図３】
2020012548.tif 000005
【図４】
2020012548.tif 000006
【図５】
2020012548.tif 000007
【図６】
2020012548.tif 000008
【図７】
2020012548.tif 000009
【図８】
2020012548.tif 000010
【図９】
2020012548.tif 000011
【図１０】
2020012548.tif 000012
【図１１】
2020012548.tif 000013
【図１２】
2020012548.tif 000014